【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
入賞の発生により遊技に使用可能な所定の得点を付与する遊技機と、該遊技機と通信可能に接続され、遊技者所有の遊技用価値を使用し該遊技機での遊技を可能にする遊技用装置とを備える遊技用システムであって、
前記遊技機は、
表示装置と、
得点を記憶する記憶手段と、
該記憶手段に記憶されている得点を遊技状態に応じて更新するための処理を行なう更新手段と、
前記記憶手段に記憶されている得点を前記表示装置に表示させる制御を行なう制御手段と、
前記遊技用装置と認証を行なう認証手段とを含み、
前記認証手段は、遊技中に電源断が発生した後復旧したときに認証を行ない、
前記制御手段は、
異常状態を検知する異常検知手段を含むとともに、
前記異常検知手段により検知された異常状態が遊技の続行が可能な異常状態である場合に得点の表示と異常表示とを前記表示装置に交互に表示させ、
前記認証手段による認証に失敗したときにも得点を前記表示装置に表示させる制御を行ない、
遊技中に電源断が発生した後復旧したときの前記認証手段による認証に失敗したとき、復旧時点の前記記憶手段に記憶されている得点を前記表示装置に表示させる制御を行なう、遊技用システム。
【請求項２】
入賞の発生により遊技に使用可能な所定の得点を付与する遊技機であって、
表示装置と、
得点を記憶する記憶手段と、
該記憶手段に記憶されている得点を遊技状態に応じて更新するための処理を行なう更新手段と、
前記記憶手段に記憶されている得点を前記表示装置に表示させる制御を行なう制御手段と、
認証を行なう認証手段とを含み、
前記認証手段は、遊技中に電源断が発生した後復旧したときに認証を行ない、
前記制御手段は、
異常状態を検知する異常検知手段を含むとともに、
前記異常検知手段により検知された異常状態が遊技の続行が可能な異常状態である場合に得点の表示と異常表示とを前記表示装置に交互に表示させ、
前記認証手段による認証に失敗したときにも得点を前記表示装置に表示させる制御を行ない、
遊技中に電源断が発生した後復旧したときの前記認証手段による認証に失敗したとき、復旧時点の前記記憶手段に記憶されている得点を前記表示装置に表示させる制御を行なう、遊技機。
【請求項３】
入賞の発生により遊技に使用可能な所定の得点を付与する遊技機の遊技枠であって、
表示装置と、
得点を記憶する記憶手段と、
該記憶手段に記憶されている得点を遊技状態に応じて更新するための処理を行なう更新手段と、
前記記憶手段に記憶されている得点を前記表示装置に表示させる制御を行なう制御手段と、
認証を行なう認証手段とを含み、
前記認証手段は、遊技中に電源断が発生した後復旧したときに認証を行ない、
前記制御手段は、
異常状態を検知する異常検知手段を含むとともに、
前記異常検知手段により検知された異常状態が遊技の続行が可能な異常状態である場合に得点の表示と異常表示とを前記表示装置に交互に表示させ、
前記認証手段による認証に失敗したときにも得点を前記表示装置に表示させる制御を行ない、
遊技中に電源断が発生した後復旧したときの前記認証手段による認証に失敗したとき、復旧時点の前記記憶手段に記憶されている得点を前記表示装置に表示させる制御を行なう、遊技枠。
【請求項４】
得点を用いて遊技が行なわれる遊技機と、前記遊技機と通信可能に接続され、記録媒体を受け付け可能であるとともに当該記録媒体の記録情報により特定される遊技者所有の遊技用価値を用いて前記遊技機での遊技を可能にするための遊技用装置と、得点を表示する表示手段とを含む遊技用システムであって、
前記遊技機は、
前記表示手段とは別の表示装置と、
得点を記憶する記憶手段と、
該記憶手段に記憶されている得点を遊技状態に応じて更新するための処理を行なう更新手段と、
前記記憶手段に記憶されている得点を前記表示装置に表示させる制御を行なう制御手段と、
前記遊技用装置と認証を行なう認証手段と、
前記更新手段による得点の変化量を特定する特定手段と、
前記変化量を特定可能な更新情報を、当該更新情報の到達確認をするために所定の更新パターンに従って更新される到達確認情報とともに前記遊技用装置へ送信する更新情報送信手段と、
前記遊技機と前記遊技用装置との間での通信ができない通信不能状態から復旧したときに、得点の補正情報と、前記通信不能状態になる前の最終通信の際の前記到達確認情報とを前記遊技用装置へ送信する補正情報送信手段とを備え、
前記認証手段は、遊技中に電源断が発生した後復旧したときに認証を行ない、
前記制御手段は、
異常状態を検知する異常検知手段を含むとともに、
前記異常検知手段により異常状態が検知されたときには、得点の表示と異常表示とを前記表示装置に交互に表示させ、
前記認証手段による認証に失敗したときにも得点を前記表示装置に表示させる制御を行ない、
遊技中に電源断が発生した後復旧したときの前記認証手段による認証に失敗したとき、復旧時点の前記記憶手段に記憶されている得点を前記表示装置に表示させる制御を行ない、
前記遊技用装置は、
前記更新情報を受信する更新情報受信手段と、
前記表示手段を制御し、前記更新情報に基づいて得点の表示を更新する表示制御手段と、
前記補正情報送信手段から送信されてきた前記補正情報および前記到達確認情報を受信する補正情報受信手段と、
前記通信不能状態から復旧した後に前記補正情報送信手段から送信されてきた前記補正情報および前記到達確認情報に基づいて前記表示手段に表示すべき得点を補正する得点補正手段とを備え、
前記表示制御手段は、前記通信不能状態から復旧した後、前記得点補正手段による補正後の得点を前記表示手段に表示し、
前記遊技用装置は、前記記録媒体に記憶されている識別情報および前記記録媒体を受け付けた時刻を特定する時刻情報を記憶するとともに前記遊技機に送信し、
前記遊技機が、受信した識別情報および時刻情報を記憶し、
前記補正情報送信手段は、前記通信不能状態から復旧したときに、前記遊技機に記憶されている識別情報および時刻情報を前記補正情報受信手段に送信し、
前記得点補正手段は、前記補正情報送信手段から送信された識別情報および時刻情報と当該遊技用装置が記憶している識別情報および時刻情報とが一致するときに、前記表示手段に表示すべき得点を補正する、遊技用システム。
【手続補正２】
【補正対象書類名】明細書
【補正対象項目名】０００７
【補正方法】変更
【補正の内容】
【０００７】
（１）  本発明は、入賞の発生により遊技に使用可能な所定の得点（図３の遊技玉数、図３３の遊技点数）を付与する遊技機（Ｐ台２、Ｓ台２Ｓ）と、該遊技機と通信可能に接続され、遊技者所有の遊技用価値を使用し該遊技機での遊技を可能にする遊技用装置（ＣＵ３）とを備える遊技用システムであって、
前記遊技機は、
表示装置（７セグ表示器５０、５０Ｓ）と、
得点を記憶する記憶手段（図３の遊技玉数カウンタのカウント値を記憶するＲＡＭ、図３３の遊技点数カウンタのカウント値を記憶するＲＡＭ）と、
該記憶手段に記憶されている得点を遊技状態に応じて更新するための処理を行なう更新手段（払出制御部１７１、Ｓ７０〜Ｓ７７）と、
前記記憶手段に記憶されている得点を前記表示装置に表示させる制御を行なう制御手段（払出制御部１７１、Ｓ５３）と、
前記遊技用装置と認証を行なう認証手段（Ｓ６０〜Ｓ６３）とを含み、
前記認証手段は、遊技中に電源断が発生した後復旧したときに認証を行ない（図１１、図１３、図１６、図１８、および図２０の認証シーケンス）、
前記制御手段は、
異常状態を検知する異常検知手段を含むとともに、
前記異常検知手段により検知された異常状態が遊技の続行が可能な異常状態である場合に得点の表示と異常表示とを前記表示装置に交互に表示させ、
前記認証手段による認証に失敗したときにも得点を前記表示装置に表示させる制御を行ない（Ｓ４９でＮＯのときにもＳ５３で遊技玉数を７セグ表示器に表示させる）、
遊技中に電源断が発生した後復旧したときの前記認証手段による認証に失敗したとき、復旧時点の前記記憶手段に記憶されている得点を前記表示装置に表示させる制御を行なう（Ｓ４９でＮＯのときにもＳ５３で遊技玉数を７セグ表示器に表示させる）。
【手続補正３】
【補正対象書類名】明細書
【補正対象項目名】０００９
【補正方法】変更
【補正の内容】
【０００９】
（２）  本発明の他の態様は、入賞の発生により遊技に使用可能な所定の得点を付与する遊技機であって、
表示装置（７セグ表示器５０、５０Ｓ）と、
前記得点を記憶する記憶手段（図３の遊技玉数カウンタのカウント値を記憶するＲＡＭ、図３３の遊技点数カウンタのカウント値を記憶するＲＡＭ）と、
該記憶手段に記憶されている得点を遊技状態に応じて更新するための処理を行なう更新手段（払出制御部１７１、Ｓ７０〜Ｓ７７）と、
前記記憶手段に記憶されている得点を前記表示装置に表示させる制御を行なう制御手段（払出制御部１７１、Ｓ５３）と、
認証を行なう認証手段（Ｓ６０〜Ｓ６３）とを含み、
前記認証手段は、遊技中に電源断が発生した後復旧したときに認証を行ない（図１１、図１３、図１６、図１８、および図２０の認証シーケンス）、
前記制御手段は、
異常状態を検知する異常検知手段を含むとともに、
前記異常検知手段により検知された異常状態が遊技の続行が可能な異常状態である場合に得点の表示と異常表示とを前記表示装置に交互に表示させ、
前記認証手段による認証に失敗したときにも得点を前記表示装置に表示させる制御を行ない（Ｓ４９でＮＯのときにもＳ５３で遊技玉数を７セグ表示器に表示させる）、
遊技中に電源断が発生した後復旧したときの前記認証手段による認証に失敗したとき、復旧時点の前記記憶手段に記憶されている得点を前記表示装置に表示させる制御を行なう（Ｓ４９でＮＯのときにもＳ５３で遊技玉数を７セグ表示器に表示させる）。
【手続補正４】
【補正対象書類名】明細書
【補正対象項目名】００１５
【補正方法】変更
【補正の内容】
【００１５】
（５）  本発明の他の態様は、入賞の発生により遊技に使用可能な所定の得点を付与する遊技機の遊技枠であって、
表示装置と、
得点を記憶する記憶手段と、
該記憶手段に記憶されている得点を遊技状態に応じて更新するための処理を行なう更新手段と、
前記記憶手段に記憶されている得点を前記表示装置に表示させる制御を行なう制御手段と、
認証を行なう認証手段とを含み、
前記認証手段は、遊技中に電源断が発生した後復旧したときに認証を行ない（図１１、図１３、図１６、図１８、および図２０の認証シーケンス）、
前記制御手段は、
異常状態を検知する異常検知手段を含むとともに、
前記異常検知手段により検知された異常状態が遊技の続行が可能な異常状態である場合に得点の表示と異常表示とを前記表示装置に交互に表示させ、
前記認証手段による認証に失敗したときにも得点を前記表示装置に表示させる制御を行ない、
遊技中に電源断が発生した後復旧したときの前記認証手段による認証に失敗したとき、復旧時点の前記記憶手段に記憶されている得点を前記表示装置に表示させる制御を行なう（Ｓ４９でＮＯのときにもＳ５３で遊技玉数を７セグ表示器に表示させる）。
【手続補正５】
【補正対象書類名】明細書
【補正対象項目名】００１６
【補正方法】変更
【補正の内容】
【００１６】
（６）  本発明の他の態様は、得点を用いて遊技が行なわれる遊技機と、前記遊技機と通信可能に接続され、記録媒体を受け付け可能であるとともに当該記録媒体の記録情報により特定される遊技者所有の遊技用価値を用いて前記遊技機での遊技を可能にするための遊技用装置と、得点を表示する表示手段とを含む遊技用システムであって、
前記遊技機は、
前記表示手段とは別の表示装置と、
得点を記憶する記憶手段と、
該記憶手段に記憶されている得点を遊技状態に応じて更新するための処理を行なう更新手段と、
前記記憶手段に記憶されている得点を前記表示装置に表示させる制御を行なう制御手段と、
前記遊技用装置と認証を行なう認証手段と、
前記更新手段による得点の変化量を特定する特定手段と、
前記変化量を特定可能な更新情報を、当該更新情報の到達確認をするために所定の更新パターンに従って更新される到達確認情報とともに前記遊技用装置へ送信する更新情報送信手段と、
前記遊技機と前記遊技用装置との間での通信ができない通信不能状態から復旧したときに、得点の補正情報と、前記通信不能状態になる前の最終通信の際の前記到達確認情報とを前記遊技用装置へ送信する補正情報送信手段とを備え、
前記認証手段は、遊技中に電源断が発生した後復旧したときに認証を行ない（図１１、図１３、図１６、図１８、および図２０の認証シーケンス）、
前記制御手段は、
異常状態を検知する異常検知手段を含むとともに、
前記異常検知手段により異常状態が検知されたときには、得点の表示と異常表示とを前記表示装置に交互に表示させ、
前記認証手段による認証に失敗したときにも得点を前記表示装置に表示させる制御を行ない、
遊技中に電源断が発生した後復旧したときの前記認証手段による認証に失敗したとき、復旧時点の前記記憶手段に記憶されている得点を前記表示装置に表示させる制御を行ない（Ｓ４９でＮＯのときにもＳ５３で遊技玉数を７セグ表示器に表示させる）、
前記遊技用装置は、
前記更新情報を受信する更新情報受信手段と、
前記表示手段を制御し、前記更新情報に基づいて得点の表示を更新する表示制御手段と、
前記補正情報送信手段から送信されてきた前記補正情報および前記到達確認情報を受信する補正情報受信手段と、
前記通信不能状態から復旧した後に前記補正情報送信手段から送信されてきた前記補正情報および前記到達確認情報に基づいて前記表示手段に表示すべき得点を補正する得点補正手段とを備え、
前記表示制御手段は、前記通信不能状態から復旧した後、前記得点補正手段による補正後の得点を前記表示手段に表示し、
前記遊技用装置は、前記記録媒体に記憶されている識別情報および前記記録媒体を受け付けた時刻を特定する時刻情報を記憶するとともに前記遊技機に送信し、
前記遊技機が、受信した識別情報および時刻情報を記憶し、
前記補正情報送信手段は、前記通信不能状態から復旧したときに、前記遊技機に記憶されている識別情報および時刻情報を前記補正情報受信手段に送信し、
前記得点補正手段は、前記補正情報送信手段から送信された識別情報および時刻情報と当該遊技用装置が記憶している識別情報および時刻情報とが一致するときに、前記表示手段に表示すべき得点を補正する。